(57)【要約】      （修正有）【課題】握持してマッサージ操作を行うとき、本体を任意の操作角度に変換でき、マッサージ効果が高く、液体熱転嫁物の漏れを回避できる熱転嫁マッサージ器を提供する。【解決手段】熱転嫁マッサージ器５は、本体１が、熱伝導可能な殼体状であって、外側表面が中心軸Ｓに対して対称な環状であり、内部チャンバ１１を備え、軸方向の一端が開口端であって開口１０が設けられ、他端に複数の殼状ヘッド２２が環状に配列された点圧迫作用端２１が設けられ、殼状ヘッド２２の内部が内部チャンバ１１に連通され、点圧迫作用端２１側の外側表面が横方向中線Ｌに対して開口端側の外側表面と対称であり、本体１の横方向中線Ｌの位置に環状凹陥溝１２が設けられ、封鎖キャップ４が開口１０を封鎖し、断熱作用を備えたカバー３が、本体１の二端のいずれかに付け替えて被装可能であり、カバー３の内側表面に、環状凹陥溝１２に嵌置できる環状リブ３２が設けられる。【選択図】図６
0003228229.tif 000002
【実用新案登録請求の範囲】
【請求項１】
熱転嫁マッサージ器であって、本体と、封鎖キャップと、カバーを含み、
前記本体が、熱伝導可能で、殼体状であり、外側表面が中心軸に対して対称な環状であり、内部に防水性の内部チャンバを備え、軸方向の一端が開口端であって、前記内部チャンバに連通された開口が前記中心軸と共軸で設けられ、他端に複数の殼状ヘッドが環状に配列されて形成された点圧迫作用端が設けられ、各殼状ヘッドの内部が前記内部チャンバに連通され、
前記封鎖キャップが、円形片状であり、前記開口を封鎖し、
前記カバーが、断熱作用を備え、前記本体の軸方向の半部を被装可能である、
ことを特徴とする、熱転嫁マッサージ器。
【請求項２】
前記カバーが、前記本体の開口端側の半部を被装可能である、ことを特徴とする、請求項１に記載の熱転嫁マッサージ器。
【請求項３】
前記本体の点圧迫作用端側の外側表面が、軸方向中央に位置する横方向中線に対して、前記本体の開口端側の外側表面と対称であり、前記開口端の端面が軸方向に凹陥されて環状帯溝が設けられ、該環状帯溝の外周に、開口端側の外側表面と交わる環状刮げ口が形成され、環状帯溝の底部に前記開口が開設され、前記点圧迫作用端の外側端面に、軸方向内側に凹陥された凹陥空間が設けられ、前記本体の前記横方向中線の位置に、径方向に凹陥された環状凹陥溝が周方向に沿って設けられ、
前記カバーが、二端のいずれかに付け替えて被装可能であり、該カバーの内側表面の前記環状凹陥溝の高さに相対する位置に、該環状凹陥溝に嵌置できる環状リブが設けられたことを特徴とする、請求項１に記載の熱転嫁マッサージ器。
【請求項４】
前記カバーが、その一端に下円形開口を有し、前記本体の軸方向の二端に付け替えて被装可能であり、前記カバーを前記本体に被装したとき、前記下円形開口が前記横方向中線を越える、ことを特徴とする、請求項３に記載の熱転嫁マッサージ器。
【請求項５】
前記本体の中間部の位置に、内側に窪んだウエスト部が設けられた、ことを特徴とする、請求項１に記載の熱転嫁マッサージ器。
【請求項６】
前記本体の中間部の位置に、外側へ膨出した膨出部が設けられた、ことを特徴とする、請求項１に記載の熱転嫁マッサージ器。
【請求項７】
前記本体が、セラミックス材料で一体に形成された殼状体であり、少なくとも前記環状刮げ口と前記殼状ヘッドの表面が滑らかな表面である、ことを特徴とする、請求項３に記載の熱転嫁マッサージ器。
【請求項８】
前記封鎖キャップが径方向の熱膨張性を備え、その熱膨脹係数が、前記開口の部位の熱膨脹係数より大きい、ことを特徴とする、請求項１に記載の熱転嫁マッサージ器。
【請求項９】
前記封鎖キャップの上端部が円形片状の外側蓋片であり、周辺に手指を掛けるための指掛け辺縁を備え、前記封鎖キャップの下端部に、前記本体の開口へ挿入可能な筒体が環状に設けられた、ことを特徴とする、請求項１に記載の熱転嫁マッサージ器。
【請求項１０】
前記本体の開口には、内方へ張り出す平坦部が設けられ、該平坦部の内端から垂直下方に嵌合環が連接され、該嵌合環の下端部からさらに外方へ嵌合縁部が連接されて、「Ｕ」字形の断面が形成され、前記封鎖キャップの筒体の外周囲に環状内溝が形成され、該環状内溝の上面に下圧面が、下部に掛止部がそれぞれ形成され、前記封鎖キャップが前記開口を封鎖した時、前記平坦部に前記封鎖キャップの下圧面が軸方向に押し当てられ、前記嵌合環が前記封鎖キャップの環状内溝を径方向に押圧し、前記嵌合縁部が前記封鎖キャップの掛止部を掛止して軸方向に押圧する、ことを特徴とする、請求項９に記載の熱転嫁マッサージ器。
【請求項１１】
前記封鎖キャップの筒体に、膨張時に径方向に可動で、前記環状内溝を押圧する熱膨張部材が結合された、ことを特徴とする、請求項１０に記載の熱転嫁マッサージ器。
【考案の詳細な説明】
【技術分野】
【０００１】
本考案は、温熱マッサージを施す熱転嫁マッサージ器に関する。
【背景技術】
【０００２】
人体の皮膚は気血が滞ると、マッサージ・推拿により毛細血管を活性化させ、血液循環を加速して症状を緩和でき、さらにはプラスの理療効果を得ることができる。
推拿の過程で、熱放射波を皮膚内部に導入すると、細胞を効果的に活性化し、血路を迅速に通じさせることができる。
マッサージは、他人の手による推拿のほか、さまざまな機械電気器材を利用して補助することができる。いつでも手軽に補助に使用できるものとして、マッサージ棒やマッサージボールがあり、これらを利用してマッサージを行うことがよくあるが、これらの握持式ツールに熱波導入の作用があれば、マッサージの推拿でより高い理療効果を形成することができる。
【０００３】
例えば、先行技術としては、特許文献１に記載の「理療用熱波スクレーパー」がある。これはカップ状の把持体内部に恒温加熱器が設置され、発生する熱波がスクレーパー部から上に放射され、熱で皮膚内部の血管を振盪させるものである。
特許文献２に記載の「衣類介在式理療用スクレーパー」は、スクレーパー部の位置に列状の歯部を備え、内部には同様に電熱部材が設置されており、発生する熱をスクレーパー部の方向に伝達するものである。
また、特許文献３に記載の「温熱マッサージ器」は、押圧可能なセラミックヘッド内部に電熱加熱構造が設置され、設置された加熱片が発生する熱が拡散板を介してマッサージ器のセラミックヘッドへガイドされるものである。
【０００４】
上記従来の装置に利用されている熱源はいずれも熱電変換作用で発生するもので、熱放射波を発射して人体皮膚に作用させることを共通の目的としているが、いずれも電源コードの接続が必要である。
【先行技術文献】
【特許文献】
【０００５】
【特許文献１】台湾特許第０９２２０１８４０号明細書
【特許文献２】台湾特許第０９５２０９８０９号明細書
【特許文献３】台湾特許第０９８２０９９９４号明細書
【考案の概要】
【考案が解決しようとする課題】
【０００６】
本考案が解決しようとする課題は、握持してマッサージ操作を行うとき、本体を任意の操作角度に変換でき、マッサージ効果が高く、どの角度でも液体熱転嫁物の漏れを回避できる、熱転嫁マッサージ器を提供することにある。
【課題を解決するための手段】
【０００７】
本願請求項１に係る考案は、熱転嫁マッサージ器であって、本体と、封鎖キャップと、カバーを含み、
前記本体が、熱伝導可能で、殼体状であり、外側表面が中心軸に対して対称な環状であり、内部に防水性の内部チャンバを備え、軸方向の一端が開口端であって、前記内部チャンバに連通された開口が前記中心軸と共軸で設けられ、他端に複数の殼状ヘッドが環状に配列されて形成された点圧迫作用端が設けられ、各殼状ヘッドの内部が前記内部チャンバに連通され、
前記封鎖キャップが、円形片状であり、前記開口を封鎖し、
前記カバーが、断熱作用を備え、前記本体の軸方向の半部を被装可能である、
ことを特徴とする、熱転嫁マッサージ器である。
【０００８】
本願請求項２に係る考案は、前記カバーが、前記本体の開口端側の半部を被装可能である、ことを特徴とする、請求項１に記載の熱転嫁マッサージ器である。
【０００９】
本願請求項３に係る考案は、前記本体の点圧迫作用端側の外側表面が、軸方向中央に位置する横方向中線に対して、前記本体の開口端側の外側表面と対称であり、前記開口端の端面が軸方向に凹陥されて環状帯溝が設けられ、該環状帯溝の外周に、開口端側の外側表面と交わる環状刮げ口が形成され、環状帯溝の底部に前記開口が開設され、前記点圧迫作用端の外側端面に、軸方向内側に凹陥された凹陥空間が設けられ、前記本体の前記横方向中線の位置に、径方向に凹陥された環状凹陥溝が周方向に沿って設けられ、
前記カバーが、二端のいずれかに付け替えて被装可能であり、該カバーの内側表面の前記環状凹陥溝の高さに相対する位置に、該環状凹陥溝に嵌置できる環状リブが設けられたことを特徴とする、請求項１に記載の熱転嫁マッサージ器である。
【００１０】
本願請求項４に係る考案は、前記カバーが、その一端に下円形開口を有し、前記本体の軸方向の二端に付け替えて被装可能であり、前記カバーを前記本体に被装したとき、前記下円形開口が前記横方向中線を越える、ことを特徴とする、請求項３に記載の熱転嫁マッサージ器である。
【００１１】
本願請求項５に係る考案は、前記本体の中間部の位置に、内側に窪んだウエスト部が設けられた、ことを特徴とする、請求項１に記載の熱転嫁マッサージ器である。
【００１２】
本願請求項６に係る考案は、前記本体の中間部の位置に、外側へ膨出した膨出部が設けられた、ことを特徴とする、請求項１に記載の熱転嫁マッサージ器である。
【００１３】
本願請求項７に係る考案は、前記本体が、セラミックス材料で一体に形成された殼状体であり、少なくとも前記環状刮げ口と前記殼状ヘッドの表面が滑らかな表面である、ことを特徴とする、請求項３に記載の熱転嫁マッサージ器である。
【００１４】
本願請求項８に係る考案は、前記封鎖キャップが径方向の熱膨張性を備え、その熱膨脹係数が、前記開口の部位の熱膨脹係数より大きい、ことを特徴とする、請求項１に記載の熱転嫁マッサージ器である。
【００１５】
本願請求項９に係る考案は、前記封鎖キャップの上端部が円形片状の外側蓋片であり、周辺に手指を掛けるための指掛け辺縁を備え、前記封鎖キャップの下端部に、前記本体の開口へ挿入可能な筒体が環状に設けられた、ことを特徴とする、請求項１に記載の熱転嫁マッサージ器である。
【００１６】
本願請求項１０に係る考案は、前記本体の開口には、内方へ張り出す平坦部が設けられ、該平坦部の内端から垂直下方に嵌合環が連接され、該嵌合環の下端部からさらに外方へ嵌合縁部が連接されて、「Ｕ」字形の断面が形成され、前記封鎖キャップの筒体の外周囲に環状内溝が形成され、該環状内溝の上面に下圧面が、下部に掛止部がそれぞれ形成され、前記封鎖キャップが前記開口を封鎖した時、前記平坦部に前記封鎖キャップの下圧面が軸方向に押し当てられ、前記嵌合環が前記封鎖キャップの環状内溝を径方向に押圧し、前記嵌合縁部が前記封鎖キャップの掛止部を掛止して軸方向に押圧する、ことを特徴とする、請求項９に記載の熱転嫁マッサージ器である。
【００１７】
本願請求項１１に係る考案は、前記封鎖キャップの筒体に、膨張時に径方向に可動で、前記環状内溝を押圧する熱膨張部材が結合された、ことを特徴とする、請求項１０に記載の熱転嫁マッサージ器である。
【考案の効果】
【００１８】
本考案の熱転嫁マッサージ器は、本体の形状が手で握持しやすく、本体の外側表面がカバーの断熱作用により、内部に入れられた転嫁物の熱エネルギーを指向的にマッサージ作用端へ伝達させることができ、かつ操作の熱損失を速やかに本体内部で平衡することができる。また、封鎖キャップが開口を効果的に封鎖し、どの角度でも液体熱転嫁物の漏れを回避することができる。
【００１９】
使用時には、本体の配置角度を上下反対に入れ替えることができ、あらゆる角度を含み、かつ、カバーで本体の軸方向の二端で外側を被覆でき、使用ニーズに合わせて被覆位置を変え、熱平衡の流れを変えることができる。
本体が、点圧迫作用端と反対側の他端に突出した環状刮げ口を備えているため、皮膚に滞った気血を散らす理療効果を発揮し、マッサージ機能を高めることができる。
【図面の簡単な説明】
【００２０】
【図１】本考案の実施例１を示す熱転嫁マッサージ器の分解側面図である。
【図２】本考案の実施例１を示す熱転嫁マッサージ器のカバーと本体を結合した状態における斜視図である。
【図３】本考案の実施例１を示す熱転嫁マッサージ器の要部断面図である。
【図４】本考案の実施例１を示す熱転嫁マッサージ器の使用状態における一部を破断した側面図である。
【図５】本考案の実施例１において、熱転嫁マッサージ器がマッサージ操作で受ける各種作用力の方向を示す概略図である。
【図６】本考案の実施例２を示す熱転嫁マッサージ器の断面図である。
【図７】本考案の実施例２を示す熱転嫁マッサージ器のカバーを付け替えた時の断面図である。
【図８】本考案の実施例２を示す熱転嫁マッサージ器の要部斜視図である。
【図９】本考案の実施例３を示す熱転嫁マッサージ器の断面図である。
【図１０】本考案の実施例３を示す熱転嫁マッサージ器のカバーを付け替えた時の断面図である。
【図１１】本考案の実施例４を示す熱転嫁マッサージ器の断面図である。
【考案を実施するための形態】
【００２１】
以下、図面に基づいて本考案の実施例を詳細に説明する。なお、本考案は、実施例に限定されない。
【００２２】
［実施例１］
以下、本考案の実施例１を、図１乃至図５と共に説明する。
図１及び図２に示すように、本考案の熱転嫁マッサージ器５は、本体１と、カバー３と、封鎖キャップ４を含む。
熱転嫁マッサージ器５は、熱量を転嫁する転嫁物５０（図４）が内部に充填され、転嫁物５０の熱エネルギーに指向性を形成してマッサージ作用端２００に伝達することができ、使用時の操作で押す平面方向が限定されず、また転嫁物５０を出し入れするための開口１０が熱膨張性を備えた封鎖キャップ４で封鎖され、本体１がマッサージで使用されるとき、任意の操作角度で効果的に開口１０を封鎖することができ、本体１の軸方向二端の上下を入れ替えて選択的に使用可能とすることで、マッサージ機能を増加でき、さらに断熱作用を備えたカバー３を使用状態に合わせて本体１の上側または下側に付け替えて被装することができる。
【００２３】
本体１は、殼状体であり、熱伝導率の高い材質より成り、例えば陶器とすることができる。
本体１の中心軸Ｓ方向の一端（図１、図２の下方）には、マッサージ作用端２００が同軸で連結される。
また、本体１は内部に防水性の内部チャンバ１１を備え、この内部チャンバ１１は頂点に開設された開口１０に連通される。
【００２４】
本体１は、断面円形であり、対をなす共役曲線が、中心軸Ｓの周囲を共役で旋回して成す対称の外表面を有し、使用者が任意の一端を握持してマッサージを行うとき、マッサージ作用端２００の作用させる平面方向が制限を受けない。
【００２５】
本実施形態では、マッサージ作用端２００は、点圧迫作用端２１であり、複数の殼状ヘッド２２が中心軸Ｓの周囲を環状に囲むように配列されて形成される。
本体１の開口１０が設けられた上半部の外面に、弾性を備え、内側に収縮可能で断熱性を有するカバー３が被装される。
カバー３の下円形開口３１は口が窄められており、カバー３を被装したとき、内側表面が本体１の外側表面に緊密に結合される。カバー３は粘着方式で本体１の外側表面に結合してもよい。
また、カバー３の頂点位置には、径が開口１０より大きいカバー開口３０が設けられ、カバー開口３０の中心と開口１０の中心が重なり合う。
【００２６】
封鎖キャップ４は、熱膨張性を備え、熱を受けると少なくとも径方向の拡張応力を得ることができ、開口１０を緊密に封鎖する。封鎖キャップ４を形成する材料は、高熱膨張係数の高分子可塑性材料であり、得られる熱膨張係数は少なくとも開口１０部位の材料より高い。開口１０は、本体１と一体成型され、セラミックス鉱物材料が採用される。
【００２７】
封鎖キャップ４の上端部は円形片状の外側蓋片４０であり、周辺に手指を掛けることができる指掛け辺縁４１を備え、下端部に筒体４４が環状に設けられ、筒体４４の外周に上下にそれぞれ掛止部４３と下圧面４５が形成される。
【００２８】
カバー３は、弾性材質であり、本体１の外側表面に被装されると、下円形開口３１が収縮して中間部の水平な高さを拘持し、形成される緊密な被覆作用で、カバー３が安定した状態で本体１の外側表面に結合される。
【００２９】
図２に示すように、カバー開口３０の中心と開口１０の中心が重なり合うようカバー３を被装して本体１の開口端を被覆し、この部分に把持端５１が形成される。カバー３は断熱作用を備え、かつ使用者が握持するとき、摩擦力を得てより握りやすくする。
カバー３に設けられた下円形開口３１の被装後の高さは、本体１の軸方向中央に位置する横方向中線Ｌを越え、カバー３に収縮性を発生させて本体１を拘持させることができ、把持端５１が操作されるとき、カバー３と本体１間に緊密な貼着力を提供し、定着されたカバー３を介して手の作用力を直接本体１に伝達し、間接的にマッサージ作用端２００に作用させることができる。
【００３０】
本体１は、共役曲線を旋回させて形成される断面円形の円体であり、一端に結合されたマッサージ作用端２００の使用時、平面方向の制限がなく、かつ設置された封鎖キャップ４は開口１０に取り付けられると、外側表面においてカバー３の外囲から突出しない。
【００３１】
本実施例では、点圧迫作用端２１をマッサージ作用端２００としており、点圧迫作用端２１は中心軸Ｓを中心として複数の殼状ヘッド２２を平面に環状に分布させて形成される。
【００３２】
少なくとも点圧迫作用端２１の表面は釉薬を配した滑らかな面であり、かつ陰イオン放射材料、または遠赤外線変換材料を設け、皮膚細胞分子の活性化を補助してもよい。
【００３３】
封鎖キャップ４は、上端部が円形片状の外側蓋片４０であり、中心軸Ｓの方向に着脱自在に開口１０に取り付けられる。また、カバー３に設けられたカバー開口３０が封鎖キャップ４の出し入れに提供される
【００３４】
図３に示すように、開口１０の構造は、本体１の外面から段差をもって内側へ環状に張り出した平坦部１０１の内端から垂直に嵌合環１０２が連接され、嵌合環１０２の下端部からさらに逆方向に平坦部１０１と平行に嵌合縁部１０３が連接されて、開口１０の縁部構造に「Ｕ」字形の断面が形成される。
また、封鎖キャップ４の筒体４４の外周面に径方向へ凹陥した環状内溝４２が設けられ、この環状内溝４２が、開口１０の断面に対応し、同様に「Ｕ」字形の断面を備える。環状内溝４２の上面が下圧面４５であり、環状内溝４２の下部に直径が下圧面４５より小さい掛止部４３を備え、封鎖キャップ４を開口１０に取り付けたとき、掛止部４３を開口１０下面の嵌合縁部１０３に掛止させ、環状内溝４２を開口１０の嵌合環１０２に嵌合させ、下圧面４５を開口１０の平坦部１０１に押し当てて密着させることができる。
【００３５】
封鎖キャップ４の上表面は円形片状の外側蓋片４０であり、周囲に手指を掛けて起こすことができる指掛け辺縁４１を備え、指の爪を掛けて封鎖キャップ４を開けることができ、指掛け辺縁４１の下方に筒体４４が同軸で連接され、筒体４４の外周に凹陥した環状内溝４２が設けられ、封鎖キャップ４は全体が同一材料で一体成形され、該材料は熱膨張可能な可塑性材料である。
【００３６】
さらに、筒体４４の内部に、径方向に熱を受けて外側へ膨張可能な環状の熱膨張部材４６を設けてもよい。熱膨張部材４６は熱膨張する金属材質とすることができ、形状記憶金属を採用してもよく、常温下で筒体４４の直径は縮小した状態であり、加熱されると熱膨張部材４６の直径が拡張し、環状内溝４２の溝底部表面を押して径方向に外囲が拡張される。熱膨張部材４６の補助により、封鎖キャップ４は一般の弾性可塑性材料で製作でき、また熱膨張部材４６の機械的な膨張動作により、より顕著に嵌合環１０２（図２参照）に対して径方向の拡張圧迫密封力を発生することができる。
【００３７】
封鎖キャップ４自体が反発性を備えていることができ、少なくとも掛止部４３が出し入れされるとき、外力を受けて弾性的に変形することができる。好ましくは使用者が指の爪で容易に指掛け辺縁４１を起こし、掛止部４３を嵌合縁部１０３から離脱させ、封鎖キャップ４全体を連動して開口１０を離脱させることができる。
【００３８】
図４に示すように、熱転嫁マッサージ器５の本体１は一端が円頭状の開口端であり、該開口端の外側表面にカバー３が被装されて把持端５１が形成される。
本体１の内部には内部チャンバ１１が形成され、内部チャンバ１１の上端部が封鎖キャップ４により封鎖または開通される。
本体１の下側はマッサージ作用端２００であり、マッサージ作用端２００は殼状ヘッド２２を備えた点圧迫作用端２１である。殼状ヘッド２２の封鎖円形ヘッド２１１が下を向き、内部に内孔２１０が形成され、本体１の内部チャンバ１１に連通される。
【００３９】
内部チャンバ１１の内部に転嫁物５０を入れると、転嫁物５０の有する熱量が熱平衡作用を発生し、まず本体１の外側表面全体で熱量を発散する。転嫁物５０が広がり内孔２１０の収容空間まで充填されるため、マッサージ作用端２００の一端で直接熱を発し、各殼状ヘッド２２の外側表面に立体状の発散熱放射波を形成する。
転嫁物５０は熱を吸収・放出する物質であり、例えば水等の液状の媒体で、事前に外部で熱を受けた後、内部チャンバ１１に注入される。
【００４０】
封鎖円形ヘッド２１１は滑らかに湾曲した外面を備え、比較的高い屈折量を有し、内部の熱放射波を封鎖円形ヘッド２１１の方向から発散させる。封鎖円形ヘッド２１１の滑らかな面は詳細にみると、その全体面積と粗面から言えば、その熱放射波を放射する単位表面積は比較的小さいものの、滑らかな平面であるため、熱放射波を屈折させやすく、また滑らかな面は材質の密度が比較的高いため、相対して熱量の伝達効率も比較的高い。
一方で、本体１の開口端側の外側表面にカバー３が設置されて把持端５１が形成された場合、カバー３の断熱作用により、内部チャンバ１１内部の転嫁物５０の熱波をカバー３で被覆した面積からは放出させにくく、転嫁物５０の熱エネルギー放出経路が熱平衡作用によってマッサージ作用端２００の方向に向き、可能な限りの全量でマッサージを受ける人の皮膚に転嫁物５０の熱量を指向的に作用させる。
【００４１】
本体１は、マッサージ作用端２００と軸方向逆側に位置する他方の開口端が円形ヘッド状であり、外側表面にカバー３が被装されて把持端５１が形成され、マッサージをする人の手で把持端５１をしっかりと握持することができ、手の作用力がカバー３の伝達を経て本体１に作用し、本体１がさらにマッサージ作用端２００に伝達する。
【００４２】
本体１は、マッサージ作用端２００を含む材質に熱伝導速度が比較的遅いセラミックスを採用し、相対的に保温性が高い材料で製造することができ、かつセラミックス製品は材質が硬く、外側表面に釉薬のコーティングを施してマッサージ作用端２００の外側表面をより滑らかにすることができる。
セラミックス材料とした場合は、内部チャンバ１１の内側表面に防水性コーティングを施し、少なくとも点圧迫作用端２１の外側表面の滑らかな面で釉薬などのコーティングを施す必要がある。
【００４３】
封鎖キャップ４に設けられた環状内溝４２は、開口１０に嵌置して両者を結合させた時、「Ｕ」字形の複数の折り曲げを有する封鎖構造を利用して、流体状の転嫁物５０が開口１０の外部へ漏洩しにくくする。
【００４４】
封鎖キャップ４は転嫁物５０の熱量を受け取ると、膨張動作を発生する。熱を受ける面積比率に基づき、膨張量が最大なのは外側蓋片４０の部分であり、外側蓋片４０はその表面の張力により筒体４４を補助して径方向の拡張を発生させ、該径方向の拡張の力が環状内溝４２に伝達され、嵌合環１０２の内周表面に押し当てて密着させ、機械的動作で開口１０を封鎖する。
【００４５】
さらに筒体４４の径方向リング位置に設置された熱膨張部材４６は、材質が形状記憶金属、または熱を受けて膨張する金属とすることができる。熱膨張部材４６が熱量を受け取ると、径方向の膨張を発生してその直径が拡大し、環状内溝４２の溝底部表面を押し動かして、径方向の圧力を発生させ、開口１０の嵌合環１０２の相対する内側表面を押圧して、機械的な圧力による密着を達成することができる。
【００４６】
転嫁物５０の温度が時間と熱交換を経て徐々に低下すると、熱膨張部材４６もそれに伴い温度を放出し、熱膨張部材４６の温度が低下して組織の電子構造が変化し、比較的小さい直径の原初の状態が回復され、同様に環状内溝４２が連動されて嵌合環１０２に対する押圧力がなくなる。
【００４７】
開口１０の密閉機能については、熱膨張部材４６の径方向の動作のほか、さらに封鎖キャップ４の構造において、軸方向の封鎖補助機能が設けられており、熱転嫁マッサージ器５がマッサージ操作で使用された後、熱交換時間の累進により、転嫁物５０の温度が徐々に低下し、同時に内部チャンバ１１の内部圧力が低下して、この低圧が封鎖キャップ４の下圧面４５を押し動かして、開口１０の平坦部１０１に貼り付かせる。
反対に、封鎖キャップ４は、最初に内部チャンバ１１に高温液体を注入したとき、内部チャンバ１１の内部空間に正圧の膨張圧力が発生し、それが封鎖キャップ４の外側蓋片４０の内側表面を押して、外側蓋片４０が筒体４４を経由して掛止部４３を連動させ、開口１０下側の嵌合縁部１０３を上に向かって圧迫させることで、密閉を形成する。
このため、高温・低温のいずれの状態下でも、軸方向と径方向の封鎖力を得ることができる。また、内外圧力が平衡した臨界時は、外力の干渉を受けないため、環状内溝４２の嵌合環１０２表面に対する密着性により、密閉作用を達成することができる。
【００４８】
この構造により、内部チャンバ１１に転嫁物５０を入れると、内部チャンバ１１の内部空間に膨張圧力が発生し、封鎖キャップ４を押して掛止部４３を開口１０の嵌合縁部１０３に貼り付かせ、マッサージ操作に使用して時間が経過し、温度が低下すると、内部チャンバ１１内部の圧力が低下して負圧状態となり、封鎖キャップ４を連動して下圧面４５を動かし、開口１０の平坦部１０１を圧迫させ、また圧力平衡の臨界では、環状内溝４２と嵌合環１０２の密閉を維持することができ、マッサージ操作の全過程で完全密閉の封鎖効果が得られ、液体の転嫁物５０の漏洩を回避することができる。
【００４９】
上述の構造の基礎として、環状内溝４２、掛止部４３、下圧面４５が共同で形成する断面寸法は、封鎖キャップ４の材質が弾性を備えている条件下で、環状内溝４２の幅を平坦部１０１と嵌合縁部１０３が相対する平面の距離より小さく、直径を嵌合環１０２の直径より大きくすることができ、かつ環状内溝４２、掛止部４３、下圧面４５が共同で成す断面形状が、開口１０の平坦部１０１、嵌合環１０２、嵌合縁部１０３が共同で構成する断面形状と同じ「Ｕ」字形であり、該「Ｕ」字形の屈曲で良好な密閉を得ることができる。
【００５０】
図５に示すように、本体１の形状が、中心軸Ｓを軸として対をなす共役曲線を旋回させて形成される断面円形の円体物であるため、手で握持しやすく、上側にカバー３を被装しると、円形ヘッド状の把持端５１と、下側のマッサージ作用端２００が形成される。
また、中心軸Ｓを環状に囲む断面円形の形状により、推拿時に、マッサージ作用端２００の操作運用平面が方向的制限を受けず、そのままの位置で左右に旋回させたり、任意の方向に往復移動させたり、体表皮膚５００の方向に下へ圧迫して旋回させたりすることができる。
上側が円形ヘッド状の設計であるため、あらゆる平面角度から握持することができ、推拿操作時に平面に力をかける方向も制限を受けることがなく、あらゆる推拿の技巧レベルの使用者がより便利に使用でき、かつ患者が自ら推拿をする場合も方向の制限を受けることがない。
【００５１】
［実施例２］
図６から図８は、本考案の実施例２を示す。なお、実施例１と同様の部分については、詳細な説明を省略する。
【００５２】
実施例２では、本体１は、二端をそれぞれ選択的にマッサージ作用端２００または把持端５１として用いることができ、かつ断熱作用を備えたカバー３も選択結果に合わせて本体１のいずれか一端に付け替えて被装することができる。
本体１のカバー３が付けられた一端を把持端５１と定義し、露出された他方の一端をマッサージ作用端２００と定義する。
【００５３】
本体１に設けられた開口１０は、熱膨張性を備えた封鎖キャップ４で覆って封鎖することができるため、本体１がマッサージ操作に使用されるとき、その配置角度を逆転させることができ、かつ環状刮げ口１４の環状構造を利用して、別のマッサージ作用端２００を形成し、かっさ理療に使用することで、本体１の使用機能を高めることができる。
【００５４】
中心軸Ｓを軸として曲線を旋回させて、内部に内部チャンバ１１を有する本体１を形成し、マッサージ作用端２００の露出時、マッサージ作用端２００の軸方向反対側の他端を把持端５１とすることができる。
【００５５】
本体１は、軸方向中間部が外側へ膨出されて膨出部５３が設けられ、膨出部５３の横方向中線Ｌの位置に凹陥された環状凹陥溝１２が設けられ、カバー３の内側表面において、被装した時対応する位置に設けられた環状リブ３２が嵌置されて、カバー３が環状凹陥溝１２により規制され、本体１の上側または下側にそれぞれ被装することができ、マッサージ作用端２００の点圧迫作用端２１を露出させて点圧迫マッサージに使用したり、カバー３を付け替えた後、環状刮げ口１４を露出させてかっさに用いたりすることができる。
【００５６】
マッサージ作用端２００は、複数の環状に配列された点圧迫作用端２１を利用してマッサージを行ない、カバー３は開口端を全体的に包み込み、把持端５１を形成する。マッサージ作用端２００の点圧迫作用端２１は肌に優しい点圧迫マッサージを提供する。
【００５７】
熱転嫁マッサージ器５の本体１は、セラミックス材料を焼いて成る殼体状であり、外側表面の形状は中心軸Ｓを軸として対称な環状である。下側に設置された殼状ヘッド２２で構成されるマッサージ作用端２００は、表面の外側曲面１００が、横方向中線Ｌに対して、他方に設けられた開口側の外側曲面１００と対称である。本体１の中間部表面は外側に突出した膨出部５３であり、開口側の頂点中央が軸方向に凹陥されて環状帯溝１３が設けられ、環状帯溝１３の底部に開口１０が開設される。
封鎖キャップ４はカバー３に設けられたカバー開口３０から出入りして開口１０を閉じることができる。
点圧迫作用端２１の外側端面に、軸方向中心軸Ｓに沿って内側に凹陥された、環状帯溝１３に相対する凹陥空間２３が設けられる。
【００５８】
本体１は横方向中線Ｌの高さ位置に環状凹陥溝１２が設けられ、カバー３の内側表面に環状に相対する環状リブ３２が設けられる。環状リブ３２を環状凹陥溝１２に嵌合させることで、カバー３が下円形開口３１を含めて本体１の外側表面に安定的に被着されるよう補助することができる。
【００５９】
図６と図７に示すように、本実施例では、カバー３を本体１の二端で付け替えて覆うことができ、多機能な使用法を提供する。
【００６０】
本体１の点圧迫作用端２１とは反対側にある開口端の端面に、軸方向に凹陥して環状帯溝１３が開設され、環状帯溝１３の環状開口と本体１の外周面である曲面が交わり環状刮げ口１４が形成される。環状刮げ口１４の表面は殼状ヘッド２２の表面と同じく滑らかな凸に湾曲した面であり、弧状の線で擦るマッサージ操作に使用することができる。
【００６１】
カバー３の付け替えに必要な構造は、本体１の殼状ヘッド２２を備えたマッサージ作用端２００全体の外側表面が、横方向中線Ｌに対して、他端の外側表面と対称であり、殼状ヘッド２２で構成される部位を同様にカバー３で覆い、他端に替えた把持端５１を形成することができる。
【００６２】
カバー３の内側表面が全部の殼状ヘッド２２を被覆すると、代わりに環状刮げ口１４が露出され、かっさ理療に使用する別のマッサージ作用端２００を提供することができる。
【００６３】
開口１０は熱膨張性を備えた封鎖キャップ４により効果的に封鎖されるため、開口１０を下に向けることができ、環状刮げ口１４を下に向けたマッサージ動作ができ、その過程でも開口１０は密閉状態が得られる。
【００６４】
環状刮げ口１４は弧形開口状のマッサージ構造を形成し、マッサージの機能を増加する。特に人体の脚や背中など比較的大きい箇所をマッサージするとき、弧状の線の長さが触れる範囲内を擦るマッサージができ、またかっさ理療に使用することができる。
【００６５】
［実施例３］
本考案の実施例３を、図９及び図１０と共に説明する。実施例１又は実施例２と同様の部分については、詳細な説明を省略する。
【００６６】
図９に示すように、本実施例では、マッサージのとき手に持ちやすいように、熱転嫁マッサージ器５の横方向中線Ｌの位置を窪ませてウエスト部５２を設け、設置されるカバー３には狭窄下縁部３３が形成され、狭窄下縁部３３の内側が横方向中線Ｌの部分に正対して拘持し、下円形開口３１が下へ横方向中線Ｌを越えて配置される。
本体１の軸方向の二端は、カバー３を付け替えて覆うことができ、二端の外側表面にそれぞれ設けられた外側曲面１００が、横方向中線Ｌにより分けられ、上下で対称な曲面として設けられている。
【００６７】
カバー３は本体１の点圧迫作用端２１の反対側にある開口端の外側表面に被装して把持端５１を形成することができ、狭窄下縁部３３が横方向中線Ｌを拘持し、封鎖キャップ４が同様に開口１０を封鎖するとともに、環状帯溝１３の凹陥により封鎖キャップ４を環状刮げ口１４より下に配置することができる。
なお、カバー３の頂部に円頂３５を形成し、封鎖キャップ４を被覆して保温効果を高めることができる。
【００６８】
カバー３と本体１には、ウエスト部５２の位置に環状凹陥溝１２と環状リブ３２が設けられており、環状リブ３２は環状凹陥溝１２に嵌置でき、カバー３で本体１を被覆した時に、安定性をより高めることができる。
これにより、形成された把持端５１を握持し、殼状ヘッド２２を有する点圧迫作用端２１を操作して点状マッサージを施すことができる。なお、ウエスト部５２の中線が横方向中線Ｌである。
【００６９】
カバー３の軸方向端部に指用リング３４を設置してもよい。指用リング３４は携帯またはマッサージ操作時に、指を通すことでより安定的に握持し、落下を回避することができる。また、指用リング３４でマッサージ操作時の操作方向を指定することができる。
【００７０】
図１０に示すように、カバー３を付け替えて覆うことで、多機能な使用ができ、本体１の中間位置にウエスト部５２が設けられ、ウエスト部５２の内側への窪み、及び付け替えに必要な構造を利用し、カバー３を反対側に付け替えて点圧迫作用端２１の外側表面を被覆し、別の把持端５１を形成することができる。
【００７１】
本体１には、横方向中線Ｌの高さに沿って環状凹陥溝１２を周設し、カバー３の内側表面に、該環状凹陥溝１２に相対して内側に突出した環状リブ３２が対応して設けられる。
【００７２】
本体１の一端に設けられた環状帯溝１３は凹陥しており、環状帯溝１３の外側縁部に環状刮げ口１４が形成され、封鎖キャップ４が開口１０に取り付けられ、その外側蓋片４０が環状刮げ口１４の高さより没入するため、環状刮げ口１４のマッサージ時に影響せず、移動に干渉しない。
【００７３】
カバー３の付け替えは、本体１の二端にそれぞれ採用でき、マッサージの構造機能を増加することができる。
【００７４】
［実施例４］
図１１は、本考案の実施例４を示す。
熱転嫁マッサージ器５の本体１に設けられた環状刮げ口１４は、前述したように環状に開口しており、さらに環状刮げ口１４の周方向に複数の周設突起１５を配置してある。各周設突起１５が突出することにより、環状に配置された点ブロック状のマッサージ構造を提供し、異なる推拿に対応して使用することができる。
特に、周設突起１５により明らかなかっさの効果を発揮することができ、また、内部チャンバ１１に温めた転嫁物を入れることで、該転嫁物の熱の補助によりかっさの理療効果を達成しやすくすることができる。
その他の構造は、実施例３と同様である。
【符号の説明】
【００７５】
１                    本体
１０                    開口
１１                    内部チャンバ
１２                    環状凹陥溝
１３                    環状帯溝
１４                    環状刮げ口
１５                    周設突起
１０１                  平坦部       
１０２                  嵌合環
１０３                  嵌合縁部
２００                  マッサージ作用端
２１                    点圧迫作用端
２１０                  内孔
２１１                  封鎖円形ヘッド
２２                    殼状ヘッド 
２３                    凹陥空間
３                    カバー
３０                    カバー開口
３１                    下円形開口
３２                    環状リブ
３３                    狭窄下縁部
３４                    指用リング
３５                    円頂
４                    封鎖キャップ
４０                    外側蓋片
４１                    指掛け辺縁
４２                    環状内溝
４３                    掛止部
４４                    筒体         
４５                    下圧面
４６                    熱膨張部材
５                      熱転嫁マッサージ器   
５０                    転嫁物
５１                    把持端
５２                    ウエスト部       
５３                    膨出部
５００                  体表皮膚
Ｌ                      横方向中線   
Ｓ                      中心軸
１００                  外側曲面
【図１】
0003228229.tif 000003
【図２】
0003228229.tif 000004
【図３】
0003228229.tif 000005
【図４】
0003228229.tif 000006
【図５】
0003228229.tif 000007
【図６】
0003228229.tif 000008
【図７】
0003228229.tif 000009
【図８】
0003228229.tif 000010
【図９】
0003228229.tif 000011
【図１０】
0003228229.tif 000012
【図１１】
0003228229.tif 000013